(57)【要約】【課題】シャワーホースを床に垂れ下がることなく良好に水平に保持させることのできるホース支持具を提供する。【解決手段】シャワー付混合水栓５を前面に備えたカウンター４の下面に固定されてシャワーホース６を水平に支持し得るホース支持具１１であって、このホース支持具１１は、カウンター４から垂設された垂下部１１ｃと、シャワーホース６を載せることのできる底部１１ｄと、シャワーホース６の前方への脱落を防ぐ立上部１１ｅを有し、上方がシャワーホース６を着脱可能に開放Ｋされている。【選択図】図５
2008050877.tif 000002
【特許請求の範囲】
【請求項１】
シャワー付混合水栓を前面に備えたカウンターの下面に固定されてシャワーホースを水平に支持し得るホース支持具であって、該ホース支持具は、前記カウンターから垂設された垂下部と、前記シャワーホースを載せることのできる底部と、シャワーホースの前方への脱落を防ぐ立上部を有し、上方がシャワーホースを着脱可能に開放されていることを特徴とするホース支持具。
【請求項２】
前記ホース支持具を、前記カウンターの下面に設けられる下カバーとともに壁面に固定したカウンター支持材に共締めしたことを特徴とする請求項１に記載のホース支持具。
【発明の詳細な説明】
【技術分野】
【０００１】
本発明は、シャワーホースを水平に支持し得るホース支持具に関するものである。
【背景技術】
【０００２】
従来、特許文献１に開示されているように、カウンターの内部に引掛用金具を固設し、この引掛用金具にカウンター内部に収納されるシャワーホースの一部を引っ掛ける構造のシャワー装置が存在する。
また、特許文献２に開示されているように、浴室壁面の水栓より高い位置に、シャワーホースを縦に保持するシャワーホース保持具を取り付けた構造が存在する。
【特許文献１】特開平９−３１３３９２号公報
【特許文献２】特開平１１−１０７３４０号公報
【発明の開示】
【発明が解決しようとする課題】
【０００３】
上記特許文献１に開示されている構造では、水栓はカウンターの上に配置され、立ち上げて配置されたシャワーヘッドを引き上げるタイプのものであり、カウンター内部のシャワーホースは引掛用金具から外れては困るために、常時シャワーホースを引掛用金具に引っ掛けておく構造のものであった。
【０００４】
また、特許文献２に開示されているシャワーホース保持具は、壁パネルに取り付けられシャワーホースを縦方向に保持するタイプであり、シャワーホース保持具は隠れた所ではなく見える所にあり、見栄えが悪く、シャワーホースを簡単には外れないように保持するものであって、洗面器を使用する際にシャワーホースが邪魔になる時は、一旦立ち上がってシャワーホースを上へ引き上げなければならず、座ったままでは操作できないものであった。
【課題を解決するための手段】
【０００５】
本発明は上記従来の問題点に鑑み案出したものであって、座って洗面器を使う場合にもシャワーホースが邪魔になることがないように、シャワーホースを床に垂れ下がることなく水平にすっきりとした状態で保持しておくことができ、また、シャワーホースの着脱が容易となるホース支持具を提供せんとするものであり、その請求項１は、シャワー付混合水栓を前面に備えたカウンターの下面に固定されてシャワーホースを水平に支持し得るホース支持具であって、該ホース支持具は、前記カウンターから垂設された垂下部と、前記シャワーホースを載せることのできる底部と、シャワーホースの前方への脱落を防ぐ立上部を有し、上方がシャワーホースを着脱可能に開放されていることである。
また、請求項２は、前記ホース支持具を、前記カウンターの下面に設けられる下カバーとともに、壁面に固定したカウンター支持材に共締めしたことである。
【発明の効果】
【０００６】
本発明は、シャワー付混合水栓を前面に備えたカウンターの下面に固定されてシャワーホースを水平に支持し得るホース支持具であって、該ホース支持具は、前記カウンターから垂設された垂下部と、前記シャワーホースを載せることのできる底部と、シャワーホースの前方への脱落を防ぐ立上部を有し、上方がシャワーホースを着脱可能に開放されていることにより、ホース支持具は上方が開放されているためシャワーホースの着脱が容易であり、シャワーホースを引き上げる際は良好に外すことができ、また、座って洗面器を使用する時は座ったままの姿勢でシャワーホースを水平に引っ掛けて保持することができ、シャワーホースが床に垂れ下がって洗面器に干渉することがないために、良好に洗面器を使用することができるものとなる。
【０００７】
また、前記ホース支持具を、前記カウンターの下面に設けられる下カバーとともに壁面に固定したカウンター支持材に共締めしたことにより、カウンターの下カバーとホース支持具の取付孔，取付用ビスを共用することができ、ホース支持具取付用の補強材が不要であり、ホース支持具を下カバーと共にカウンター支持材に強固に固定することができ、施工が容易なものとなる。
【実施例】
【０００８】
以下、本発明の実施例を図面に基づいて説明する。
図１は、浴室の正面構成図であり、浴室１内には浴槽２が設置され、洗い場３側の壁面にはカウンター４が水平状に設置されて、このカウンター４の前面には混合水栓５が設けられている。この混合水栓５にはシャワーホース６を介してシャワーヘッド７が接続されており、このシャワーヘッド７は、壁面に設けられた上シャワーフック９ａ或いは下シャワーフック９ｂに掛止できるものである。
なお、カウンター４の上方の壁面には、鏡８と、棚１０と、タオル掛け１８が設置されている。
【０００９】
図１は、シャワーヘッド７を上シャワーフック９ａに引っ掛けて保持させた状態であり、この状態でシャワーヘッド７からシャワー水を噴出させて、立った状態でシャワーを浴びることができるものである。
洗い場３で座った状態でシャワーを使用する場合には、シャワーヘッド７は下シャワーフック９ｂに掛止されるが、この場合に、カウンター４の下方に洗面器を置くと、洗面器の上にシャワーホース６が垂れ下がり邪魔になるため、本例では、シャワーホース６をカウンター４の下面に水平に保持させるために、カウンター４の下面にホース支持具１１が固定されている。
【００１０】
図２は、このホース支持具１１にシャワーホース６を保持させた状態であり、このようにカウンター４の下面に水平にシャワーホース６が保持されるため、シャワーホース６が垂れ下がって洗面器に干渉することがなく、シャワーホース６が邪魔にならずに、良好に洗い場３に座って洗面器を使用できるものである。
図３は、図２のようにシャワーホース６をホース支持具１１に保持させた状態の浴室の平面構成図である。
【００１１】
なお、図４は、カウンターの拡大正面構成図であり、また図５は、図４のＡ−Ａ線断面概略拡大構成図である。
カウンター４は、上面４ａと、上面４ａの前端から一体状に垂設された前面４ｂを備えており、この前面４ｂの中央部の凹ませた部分に混合水栓５が設けられており、この混合水栓５の左右側にはそれぞれハンドル５ａ，５ｂが設けられている。また、混合水栓５の下部には吐水口５ｃが設けられており、この吐水口５ｃから、下方に置かれる洗面器内に良好に吐水できるものである。また、この吐水口５ｃの奥側からシャワーホース６が延出
されている。
【００１２】
シャワーホース６を水平に保持させるためにカウンター４の下面に設けられたホース支持具１１は、カウンター４を壁面Ｗに固定するためのカウンター支持材１２にネジ１７で締め付けて固定されている。
カウンター支持材１２は、水平方向に間隔をおいて、例えば４個配置されて、それぞれがビス１６で壁面Ｗに固定されており、この４個のカウンター支持材１２にカウンター４が固定され、カウンター４の下面には下カバー１３が着脱可能に設けられる。
この下カバー１３は、カウンター支持材１２にネジ１７で締め付けられているが、本例では、下カバー１３を取り付けるネジ孔にネジ１７を締め付ける際にホース支持具１１も共締めされて取り付けられたものとなっている。
【００１３】
即ち、図６の分解斜視図で示すように、カウンター支持材１２は、壁面Ｗに当接される壁固定片１２ａに、ビス１６を差し込む縦長状の長孔１５が２個形成されており、長孔１５内にビス１６を差し込んで、ビス１６を壁面Ｗに締め付け、壁面Ｗにカウンター支持材１２が固定されるものであり、カウンター支持材１２の壁固定片１２ａの上部には、段部を介在させて水平に前方へ突出する上面片１２ｂが一体形成され、上面片１２ｂから垂直に垂直片１２ｃが一体形成されており、垂直片１２ｃの前端に略水平に折り曲げて取付片１２ｄが一体形成され、この取付片１２ｄに、内側に雌ネジを形成したネジ孔１４が形成されている。また、壁固定片１２ａから取付片１２ｄに向かって水平に突出して突出片１２ｅが形成されている。
【００１４】
このようなカウンター支持材１２の取付片１２ｄに形成されているネジ孔１４にネジ１７を締め付けて、ネジ１７で下カバー１３と共にホース支持具１１が共締めされて固定されるものであり、ホース支持具１１は別途、取付用孔及び取付用ビスが不要となり、また補強材も不要となって、下カバー１３と共に容易にカウンター支持材１２に共締めして固定することができるものである。
【００１５】
このホース支持具１１は、下カバー１３の下面に当接される固定部１１ａに上方へ突出してボス部１１ｂが一体形成され、このボス部１１ｂに上下方向にネジ孔１１ｆが貫通形成されており、このネジ孔１１ｆ内にネジ１７を通すことができるものである。
このホース支持具１１の固定部１１ａから一体状に垂下部１１ｃが形成されて、垂下部１１ｃの下端はＵ字状の底部１１ｄに連続されており、底部１１ｄの前面には、前方側へ上傾して立上部１１ｅが立ち上げ形成されている。
【００１６】
シャワーホース６を前方側から着脱可能に掛止できるように、ホース支持具１１には立上部１１ｅの上方に開口Ｋが形成されており、この開口Ｋの上下寸法は、シャワーホース６の直径よりも数ｍｍ大きく設定されて、スムーズにシャワーホース６が着脱できるように構成され、底部１１ｄ上にシャワーホース６を置いて、ホース支持具１１にシャワーホース６を水平状に掛止することができる。
シャワーホース６をホース支持具１１に保持させた状態では、立上部１１ｅによりシャワーホース６の前方側への脱落が防がれて、カウンター４の下面に沿ってすっきりとした状態でシャワーホース６が保持されるものである。
【００１７】
従って、この状態では、シャワーホース６は下方の洗い場３側に垂れ下がることはないため、混合水栓５の下方に洗面器を置いて良好に洗面器を使用することができるものである。
なお、この状態から立ち上がってシャワーヘッド７を上シャワーフック９ａに掛止して使用する時には、シャワーホース６はホース支持具１１の開口Ｋからスムーズに抜脱して、図１のような状態となり、良好に立った状態でシャワーを浴びることができるものである。
【図面の簡単な説明】
【００１８】
【図１】シャワーヘッドを上方のシャワーフックに掛止した状態の浴室の正面構成図である。
【図２】シャワーヘッドを下方のシャワーフックに掛止して座った状態でシャワーを使用する際の正面構成図である。
【図３】図２の状態の浴室の平面構成図である。
【図４】浴室に設けられたカウンターの拡大正面構成図である。
【図５】図４のＡ−Ａ線断面拡大概略構成図である。
【図６】カウンター支持材と下カバーとホース支持具の分解斜視図である。
【図７】ホース支持具の斜視構成図である。
【符号の説明】
【００１９】
１  浴室
２  浴槽
３  洗い場
４  カウンター
４ａ  上面
４ｂ  前面
５  混合水栓
５ｃ  吐水口
６  シャワーホース
７  シャワーヘッド
９ａ  上シャワーフック
９ｂ  下シャワーフック
１１  ホース支持具
１１ａ  固定部
１１ｂ  ボス部
１１ｃ  垂下部
１１ｄ  底部
１１ｅ  立上部
１１ｆ  ネジ孔
１２  カウンター支持材
１２ａ  壁固定片
１２ｄ  取付片
１３  下カバー
１４  ネジ孔
Ｋ  開口
【図１】
2008050877.tif 000003
【図２】
2008050877.tif 000004
【図３】
2008050877.tif 000005
【図４】
2008050877.tif 000006
【図５】
2008050877.tif 000007
【図６】
2008050877.tif 000008
【図７】
2008050877.tif 000009